(57)【要約】【課題】リモートコントローラにおいて室内機の空気調和動作を制御する通常モードと、上記のアドレス設定が行える特殊モードとの間の遷移を、繁雑な操作を必要とせずにユーザーの誤操作を防止する。【解決手段】室内機３１〜３６はリモートコントローラ４１〜４５と、集中制御部１とのいずれからも、独立してその空気調和動作が制御可能である。リモートコントローラ４１〜４５は、空気調和動作を指示する通常モードと、制御アドレスを設定する特殊モードとのいずれかを、室内機３１〜３６からの指令に応じて採用する。制御アドレスとは、集中制御部１によって室内機３１〜３６の空気調和動作を行うときに用いられるアドレスである。【選択図】図１
2008232594.tif 000002
【特許請求の範囲】
【請求項１】
リモートコントローラ（４１〜４５）及び前記リモートコントローラとは異なる制御部（１）のいずれからも、その空気調和動作が制御可能な室内機（３１〜３６）であって、
前記リモートコントローラは、前記空気調和動作を指示する通常モードと、前記制御部による制御を行うときに用いられるアドレスである制御アドレスを設定する特殊モードとのいずれかを、前記室内機からの指令に応じて採用し、
前記リモートコントローラに、前記通常モード及び前記特殊モードのいずれを採用させるかの決定を行う制御回路（３０３）と、
前記決定に基づいて前記指令を前記リモートコントローラへ送信する通信部（３０６）と
を備える室内機。
【請求項２】
前記制御アドレスの設定の許否についての情報を記憶する不揮発性記憶素子（３０５）
を更に備え、
前記制御回路（３０３）は、前記情報が前記制御アドレスの設定の許諾／拒否を示している場合に、それぞれ前記特殊モード／前記通常モードを前記リモートコントローラに採らせる前記決定を行う、請求項１記載の室内機（３１〜３６）。
【請求項３】
制御部（１）からその空気調和動作を制御可能な室内機（３１〜３６）に対して前記制御部とは独立して前記空気調和動作を制御可能であって、
前記空気調和動作を指示する通常モードと、前記制御部による制御を行うときに用いられるアドレスである制御アドレスを設定する特殊モードとのいずれかを、前記室内機からの指令に応じて採るリモートコントローラ（４１〜４５）。
【請求項４】
前記特殊モードにおいて、前記制御アドレスの設定もしくは前記制御アドレスの設定が不要である旨の指示（Ｓ３０４，Ｓ３０５）を前記室内機に送信する、請求項３記載のリモートコントローラ（４１〜４５）。
【請求項５】
請求項１及び請求項２のいずれか一つに記載の室内機（３１〜３６）の複数と、
請求項３及び請求項４のいずれか一つに記載のリモートコントローラ（４１〜４５）と、
前記制御部（１）と
を含み、
前記制御部は二以上の前記室内機の前記空気調和動作を集中的かつ個別に制御する、空気調和システム。
【請求項６】
室内機（３１〜３６）の複数と、
二以上の前記室内機の空気調和動作を集中的かつ個別に制御する制御部（１）と、
前記空気調和動作を制御可能であって、前記空気調和動作を指示する通常モードと、前記制御部による制御を行うときに用いられるアドレスである制御アドレスを設定する特殊モードとのいずれかを採るリモートコントローラ（４１〜４５）と
を含む空気調和システムにおいて、
前記室内機が、
（ａ）自身に制御アドレスを設定するかを判断するステップ（Ｓ１０３Ａ）と、
（ｂ）前記ステップ（ａ）の判断結果が肯定的／否定的に応じて、それぞれ前記特殊モード／前記通常モードを前記リモートコントローラに採らせる指令を、前記リモートコントローラに送信するステップ（Ｓ１０４，Ｓ１０５）と
を実行するアドレス設定方法。
【請求項７】
前記室内機（３１〜３６）が、
（ｃ）自身が前記制御部（１）に接続されているかを判断するステップ（Ｓ１０１）と、
（ｄ）前記ステップ（ｃ）の判断結果が肯定的である場合に、自身に既に前記制御アドレスが設定されているかを判断するステップ（Ｓ１０２）と
を実行し、
前記ステップ（ａ）は前記ステップ（ｄ）の判断結果が否定的である場合に実行される、請求項６記載のアドレス設定方法。
【請求項８】
前記室内機（３１〜３６）が、
自身が前記制御部（１）に接続されているかを判断し（Ｓ１０１）、当該判断結果が否定的である場合には、前記通常モードを前記リモートコントローラに採らせる指令を、前記リモートコントローラに送信するステップ（Ｓ１０４）
を実行する請求項６記載のアドレス設定方法。
【請求項９】
前記室内機（３１〜３６）が、
自身に既に前記制御アドレスが設定されているかを判断し（Ｓ１０２）、当該判断結果が肯定的である場合には、前記通常モードを前記リモートコントローラに採らせる指令を、前記リモートコントローラに送信するステップ（Ｓ１０４）
を実行する請求項６記載のアドレス設定方法。
【請求項１０】
前記室内機は、
前記制御アドレスの設定の許否についての情報を記憶する不揮発性記憶素子（３０５）
を備え、
前記情報が前記制御アドレスの設定の許諾／拒否を示している場合に、前記ステップ（ａ）の判断結果が、それぞれ肯定的／否定的となる、請求項６乃至請求項９のいずれか一つに記載のアドレス設定方法。
【請求項１１】
前記リモートコントローラ（４１〜４５）は、前記特殊モードにおいて、前記制御アドレスの設定もしくは前記制御アドレスの設定が不要である旨の指示を前記室内機に送信し（Ｓ３０４，Ｓ３０５）、
前記室内機が、
（ｉ）前記リモートコントローラから前記制御アドレスの設定が不要である旨を指示された場合（Ｓ２０４）には、前記情報を前記制御アドレス設定の拒否を示すものに更新するステップ（Ｓ２０５）
を実行する、請求項１０記載のアドレス設定方法。
【請求項１２】
前記情報が前記制御アドレスの設定の許諾を示しており（Ｓ２０１）、かつ前記室内機が前記特殊モードを前記リモートコントローラに採らせる指令を、前記リモートコントローラに送信していない場合、前記情報が維持される、請求項６乃至請求項１１のいずれか一つに記載のアドレス設定方法。
【請求項１３】
前記リモートコントローラ（４１〜４５）は、前記室内機からの指令がなくても特殊モードを採用する操作が可能であり、
前記室内機は、
（ｉｉ）前記情報が前記制御アドレスの設定の許諾を示していない場合（Ｓ２０１）であっても、前記リモートコントローラから前記制御アドレスが設定された場合（Ｓ２０２）には、前記情報を前記制御アドレス設定の許諾を示すものに更新するステップ（Ｓ２０６）
を実行する、請求項６乃至請求項１２のいずれか一つに記載のアドレス設定方法。
【請求項１４】
前記リモートコントローラ（４１〜４５）は、
（ｘ）前記指令に基づいて前記特殊モードを採用するステップ（Ｓ３０１，Ｓ３０２）と、
（ｙ）前記特殊モードにおいて、前記制御アドレスの設定もしくは前記制御アドレスの設定が不要である旨の指示を前記室内機に送信するステップ（Ｓ３０４，Ｓ３０５）と、
（ｚ）前記ステップ（ｙ）の実行後、前記指令の有無に依らずに前記通常モードに遷移するステップ（Ｓ３０６）と
を実行する、請求項６乃至請求項１３のいずれか一つに記載のアドレス設定方法。
【発明の詳細な説明】
【技術分野】
【０００１】
この発明は空気調和機に関し、特にその室内機のアドレス設定に関する。
【背景技術】
【０００２】
従来から、空気調和機の室内機の複数を、集中的かつ個別に制御する集中制御部を用い、これら室内機の空気調和動作を制御する技術が知られている。かかる制御を行うために、室内機のそれぞれに対してアドレスが設定される。当該設定には室内機に対応したリモートコントローラが用いられる。
【０００３】
【特許文献１】特開２０００−７４４６１号公報
【特許文献２】特開平４−３２６４５号公報
【発明の開示】
【発明が解決しようとする課題】
【０００４】
但し、当該設定をリモートコントローラによる通常の空気調和動作の制御と区別し、ユーザーの誤操作を防止することが望ましい。そのため、通常は上記のアドレス設定を行う場合、その前に繁雑な操作を必要としている。
【０００５】
しかしながら、上記の技術においては室内機が複数存在するため、上記のアドレスを設定するためにその各々に対応するリモートコントローラに対して複雑な操作を行うことは多くの手間を必要とする。
【０００６】
そこで本発明は、リモートコントローラにおいて室内機の空気調和動作を制御する通常モードと、上記のアドレス設定が行える特殊モードとの間の遷移を、繁雑な操作を必要とせずにユーザーの誤操作を防止することを目的とする。
【課題を解決するための手段】
【０００７】
この発明にかかる室内機の第１の態様は、リモートコントローラ（４１〜４５）及び前記リモートコントローラとは異なる制御部（１）のいずれからも、その空気調和動作が制御可能な室内機（３１〜３６）である。前記リモートコントローラは、前記空気調和動作を指示する通常モードと、前記制御部による制御を行うときに用いられるアドレスである制御アドレスを設定する特殊モードとのいずれかを、前記室内機からの指令に応じて採用する。そして当該室内機は前記リモートコントローラに、前記通常モード及び前記特殊モードのいずれを採用させるかの決定を行う制御回路（３０３）と、前記決定に基づいて前記指令を前記リモートコントローラへ送信する通信部（３０６）とを備える。
【０００８】
この発明にかかる室内機の第２の態様は、その第１の態様であって、前記制御アドレスの設定の許否についての情報を記憶する不揮発性記憶素子（３０５）を更に備える。そして前記制御回路（３０３）は、前記情報が前記制御アドレスの設定の許諾／拒否を示している場合に、それぞれ前記特殊モード／前記通常モードを前記リモートコントローラに採らせる前記決定を行う。
【０００９】
この発明にかかるリモートコントローラ（４１〜４５）の第１の態様は、制御部（１）からその空気調和動作を制御可能な室内機（３１〜３６）に対して前記制御部とは独立して前記空気調和動作を制御可能であって、前記空気調和動作を指示する通常モードと、前記制御部による制御を行うときに用いられるアドレスである制御アドレスを設定する特殊モードとのいずれかを、前記室内機からの指令に応じて採る。
【００１０】
この発明にかかるリモートコントローラの第２の態様はその第１の態様であって、前記特殊モードにおいて、前記制御アドレスの設定もしくは前記制御アドレスの設定が不要である旨の指示（Ｓ３０４，Ｓ３０５）を前記室内機に送信する。
【００１１】
この発明にかかる、空気調和システムリモートコントローラは、この発明にかかる室内機（３１〜３６）の第１の態様または第２の態様の複数と、この発明にかかるリモートコントローラの第１の態様または第２の態様（４１〜４５）と、前記制御部（１）とを含み、前記制御部は二以上の前記室内機の前記空気調和動作を集中的かつ個別に制御する。
【００１２】
この発明にかかるアドレス設定方法の第１の態様は、室内機（３１〜３６）の複数と、二以上の前記室内機の空気調和動作を集中的かつ個別に制御する制御部（１）と、前記空気調和動作を制御可能であって、前記空気調和動作を指示する通常モードと、前記制御部による制御を行うときに用いられるアドレスである制御アドレスを設定する特殊モードとのいずれかを採るリモートコントローラ（４１〜４５）とを含む空気調和システムにおいて、前記室内機が、（ａ）自身に制御アドレスを設定するかを判断するステップ（Ｓ１０３Ａ）と、（ｂ）前記ステップ（ａ）の判断結果が肯定的／否定的に応じて、それぞれ前記特殊モード／前記通常モードを前記リモートコントローラに採らせる指令を、前記リモートコントローラに送信するステップ（Ｓ１０４，Ｓ１０５）とを実行する。
【００１３】
この発明にかかるアドレス設定方法の第２の態様は、その第１の態様であって、前記室内機（３１〜３６）が、（ｃ）自身が前記制御部（１）に接続されているかを判断するステップ（Ｓ１０１）と、（ｄ）前記ステップ（ｃ）の判断結果が肯定的である場合に、自身に既に前記制御アドレスが設定されているかを判断するステップ（Ｓ１０２）とを実行し、前記ステップ（ａ）は前記ステップ（ｄ）の判断結果が否定的である場合に実行される。
【００１４】
この発明にかかるアドレス設定方法の第３の態様は、その第１の態様であって、前記室内機（３１〜３６）が、自身が前記制御部（１）に接続されているかを判断し（Ｓ１０１）、当該判断結果が否定的である場合には、前記通常モードを前記リモートコントローラに採らせる指令を、前記リモートコントローラに送信するステップ（Ｓ１０４）を実行する。
【００１５】
この発明にかかるアドレス設定方法の第４の態様は、その第１の態様であって、前記室内機（３１〜３６）が、自身に既に前記制御アドレスが設定されているかを判断し（Ｓ１０２）、当該判断結果が肯定的である場合には、前記通常モードを前記リモートコントローラに採らせる指令を、前記リモートコントローラに送信するステップ（Ｓ１０４）を実行する。
【００１６】
この発明にかかるアドレス設定方法の第５の態様は、その第１乃至第４の態様のいずれかであって、前記室内機は、前記制御アドレスの設定の許否についての情報を記憶する不揮発性記憶素子（３０５）を備える。そして前記情報が前記制御アドレスの設定の許諾／拒否を示している場合に、前記ステップ（ａ）の判断結果が、それぞれ肯定的／否定的となる。
【００１７】
この発明にかかるアドレス設定方法の第６の態様は、その第５の態様であって、前記リモートコントローラ（４１〜４５）は、前記特殊モードにおいて、前記制御アドレスの設定もしくは前記制御アドレスの設定が不要である旨の指示を前記室内機に送信し（Ｓ３０４，Ｓ３０５）、前記室内機が、（ｉ）前記リモートコントローラから前記制御アドレスの設定が不要である旨を指示された場合（Ｓ２０４）には、前記情報を前記制御アドレス設定の拒否を示すものに更新するステップ（Ｓ２０５）を実行する。
【００１８】
この発明にかかるアドレス設定方法の第７の態様は、その第１乃至第６の態様のいずれかであって、前記情報が前記制御アドレスの設定の許諾を示しており（Ｓ２０１）、かつ前記室内機が前記特殊モードを前記リモートコントローラに採らせる指令を、前記リモートコントローラに送信していない場合、前記情報が維持される。
【００１９】
この発明にかかるアドレス設定方法の第８の態様は、その第１乃至第７の態様のいずれかであって、前記リモートコントローラ（４１〜４５）は、前記室内機からの指令がなくても特殊モードを採用する操作が可能であり、前記室内機は、（ｉｉ）前記情報が前記制御アドレスの設定の許諾を示していない場合（Ｓ２０１）であっても、前記リモートコントローラから前記制御アドレスが設定された場合（Ｓ２０２）には、前記情報を前記制御アドレス設定の許諾を示すものに更新するステップ（Ｓ２０６）を実行する。
【００２０】
この発明にかかるアドレス設定方法の第９の態様は、その第１乃至第８の態様のいずれかであって、前記リモートコントローラ（４１〜４５）は、（ｘ）前記指令に基づいて前記特殊モードを採用するステップ（Ｓ３０１，Ｓ３０２）と、（ｙ）前記特殊モードにおいて、前記制御アドレスの設定もしくは前記制御アドレスの設定が不要である旨の指示を前記室内機に送信するステップ（Ｓ３０４，Ｓ３０５）と、（ｚ）前記ステップ（ｙ）の実行後、前記指令の有無に依らずに前記通常モードに遷移するステップ（Ｓ３０６）とを実行する。
【発明の効果】
【００２１】
この発明にかかる室内機の第１の態様によれば、ユーザーの誤操作を防止するために通常は繁雑な操作が必要となる、リモートコントローラにおける通常モードと特殊モードとの間の遷移を、室内機側から指令するので、繁雑な操作を必要とせずにユーザーの誤操作を防止できる。
【００２２】
この発明にかかる室内機の第２の態様によれば、制御アドレスの要否が、不揮発性記憶素子において記憶する情報に基づくので、停電などの電源遮断から回復したとき、制御アドレスの要否を改めて設定する必要がない。
【００２３】
この発明にかかるリモートコントローラの第１の態様によれば、ユーザーの誤操作を防止するために通常は繁雑な操作が必要となる、リモートコントローラにおける通常モードと特殊モードとの間の遷移を、室内機側から指令するので、繁雑な操作を必要とせずにユーザーの誤操作を防止できる。
【００２４】
この発明にかかるリモートコントローラの第２の態様によれば、室内機から、制御アドレスを設定する特殊モードへ遷移する指令を受けた場合であっても、ユーザーが制御アドレスの設定は不要であることを室内機に通知できる。
【００２５】
この発明にかかる空気調和システムによれば、この発明にかかる室内機及びリモートコントローラを採用するので、制御アドレスを用いた制御部によって二以上の室内機の空気調和動作を集中的に制御できる一方、制御アドレスを用いずに制御部からの制御のない室内機での空気調和動作を得ることもできる。
【００２６】
この発明にかかるアドレス設定方法の第１の態様によれば、ユーザーの誤操作を防止するために通常は繁雑な操作が必要となる、リモートコントローラにおける通常モードと特殊モードとの間の遷移を、室内機側から指令するので、繁雑な操作を必要とせずにユーザーの誤操作を防止できる。
【００２７】
この発明にかかるアドレス設定方法の第２の態様及び第５の態様によれば、制御部に接続され、かつまだ制御アドレスが設定されていない場合においてのみ、制御アドレスの設定の要否を判断するので、集中的な制御が行われない筈の室内機に制御アドレスが設定されたり、制御アドレスが重複して設定されるという誤動作を回避できる。
【００２８】
この発明にかかるアドレス設定方法の第３の態様によれば、集中的な制御が行われない筈の室内機に制御アドレスが設定されるという誤動作を回避できる。
【００２９】
この発明にかかるアドレス設定方法の第４の態様によれば、制御アドレスが重複して設定されるという誤動作を回避できる。
【００３０】
この発明にかかるアドレス設定方法の第６の態様によれば、室内機から、制御アドレスを設定する特殊モードへ遷移する指令を受けた場合であっても、ユーザーからの指定により、制御アドレスは不要であると設定できる。
【００３１】
この発明にかかるアドレス設定方法の第７の態様によれば、制御アドレスの許諾を示す情報を維持することにより、特殊モードをリモートコントローラに採らせる指令の実行を妨げない。
【００３２】
この発明にかかるアドレス設定方法の第８の態様によれば、室内機から、制御アドレスを設定する特殊モードへ遷移する指令を受けない場合であっても、ユーザーからの指定によって制御アドレスを設定できる。しかも停電などの電源遮断から回復したとき、制御アドレスが必要であることを改めて設定する必要がない。
【００３３】
この発明にかかるアドレス設定方法の第９の態様によれば、制御アドレスの設定と、制御アドレスを不要とする設定とを、ユーザーが選択することができる。しかもこれらの設定が実行された後で、制御アドレスの設定を行うための特殊モードを採用する必要がないので通常モードに遷移する際、室内機からの指令を必要としない。
【発明を実施するための最良の形態】
【００３４】
図１は、この発明を適用可能な空気調和システムの構成を例示するブロック図である。当該空気調和システムは、室外機２１，２２及び室内機３１〜３６を備えている。また室内機３１，３２にはリモートコントローラ４１（図中では「リモコン」と略記）が、室内機３３〜３６にはそれぞれリモートコントローラ４２〜４５が、対応して設けられる。対応するリモートコントローラと室内機とは有線もしくは無線で信号が授受され、室内機の空気調和動作は、対応するリモートコントローラによって制御される。
【００３５】
室内機３１〜３４は室外機２１と接続され、信号の授受及び共通の冷媒が使用される。室内機３５，３６は室外機２２と接続され、信号の授受及び共通の冷媒が使用される。室外機２１，２２は集中制御部１で例示される制御部と接続され、集中制御部１によって室内機３１〜３６の空気調和動作が制御される。集中制御部１は二以上の室内機の空気調和動作を集中的かつ個別に制御する。
【００３６】
即ち、室内機３１〜３６はリモートコントローラ４１〜４５と、集中制御部１とのいずれからも、独立してその空気調和動作が制御可能である。
【００３７】
リモートコントローラ４１〜４５は、空気調和動作を指示する通常モードと、制御アドレスを設定する特殊モードとのいずれかを、室内機３１〜３６からの指令に応じて採用する。制御アドレスとは、集中制御部１によって室内機３１〜３６の空気調和動作を行うときに用いられるアドレスである。より具体的には集中制御部１が空気調和動作を行う対象となる室内機を特定するアドレスである。
【００３８】
なお、全ての室内機３１〜３６に対して制御アドレスが設定されなくてもよい。即ち、集中制御部１の制御を行わずに、リモートコントローラ４１〜４５で室内機３１〜３６の制御を行う場合には制御アドレスを付与しなくてもよい。
【００３９】
制御アドレスを用いた集中制御部１によって二以上の室内機の空気調和動作を集中的に制御できる一方、制御アドレスを用いずに集中制御部１からの制御のない室内機での空気調和動作を得ることもできる。
【００４０】
図２は室内機３ｉ（ｉ＝１〜６）の構成を例示するブロック図である。室内機３ｉは、機械要素３０１、駆動制御部３０２を備えている。機械要素３０１は駆動制御部３０２の制御の下で駆動して空調動作を行う。
【００４１】
室内機３ｉは更にＣＰＵ３０３及び記憶回路３０４を備えている。ＣＰＵ３０３は駆動制御部３０２に対して機械要素３０１にどのような駆動をさせるかの指令を行う。ＣＰＵ３０３が実行するプログラムや当該プログラムの実行に必要なデータは記憶回路３０４に格納されている。
【００４２】
ＣＰＵ３０３は更に、リモートコントローラ４ｋ（ｋ＝１〜５）に、通常モード及び特殊モードのいずれを採用させるかの決定を行う。室内機３ｉは更に通信部３０６を備えており、上記決定に基づいて、上記指令をリモートコントローラ４ｋへ送信する。
【００４３】
通信部３０６は集中制御部１や、室外機２ｊ（ｊ＝１，２）や、他の室内機３ｉ’（ｉ’＝１〜６，ｉ’≠ｉ）とも接続され、相互に信号を授受する。
【００４４】
従来、リモートコントローラ４ｋにおける通常モードと特殊モードとの間の遷移は、リモートコントローラ自身を操作していた。そしてユーザーの誤操作を防止するために通常は繁雑な操作が必要となっていた。しかしこの遷移を室内機３ｉ側から指令するので、繁雑な操作を必要とせずにユーザーの誤操作を防止できる。
【００４５】
観点を変えれば、リモートコントローラ４ｋは、通常モードと、特殊モードとのいずれかを、室内機３ｉからの指令に応じて採ることとなる。
【００４６】
室内機３ｉは更に、不揮発性記憶素子３０５を備えている。図２においては不揮発性記憶素子３０５は記憶回路３０４内に設けられているが、別個に設けてもよい。
【００４７】
不揮発性記憶素子３０５は制御アドレスの設定の許否についての情報を記憶する。そしてＣＰＵ３０３は、当該情報が制御アドレスの設定の許諾／拒否を示している場合に、それぞれ特殊モード／通常モードをリモートコントローラ４ｋに採らせる決定を行う。
【００４８】
制御アドレスの要否が、不揮発性記憶素子３０５において記憶する情報に基づくので、停電などの電源遮断から回復したとき、制御アドレスの要否を改めて設定する必要がない。
【００４９】
図３は、室内機３ｉがリモートコントローラ４ｋのモードを遷移させるフローチャートを示す。ステップＳ１０１において、自身が集中制御部１に接続されているかを判断する。接続されていなければ集中制御部１による制御が行われないので、制御アドレスを付与する必要がない。ステップＳ１０４へと進み、リモートコントローラ４ｋに対して、通常モードへ遷移するように指令する。
【００５０】
ステップＳ１０１の判断結果が肯定的であれば、ステップＳ１０２において、自身に既に制御アドレスが設定されているかを判断する。そして当該判断の結果が肯定的であれば、再度制御アドレスを設定する必要がないのでステップ１０４へと処理が進む。ステップＳ１０２の判断結果が否定的であれば、ステップＳ１０３Ａへと処理が進む。
【００５１】
ステップＳ１０３Ａでは、自身に制御アドレスを設定するかを判断する。自身に制御アドレスを設定するか否かはユーザーが予め設定しておくことができ、例えば不揮発性記憶素子３０５において制御アドレスの要否を記憶させておく。
【００５２】
ステップＳ１０３Ａの判断結果が否定的である場合には、制御アドレスを設定する必要がないのでステップ１０４へと処理が進む。当該判断結果が肯定的である場合には、ステップＳ１０５へと処理が進み、リモートコントローラ４ｋに対して、特殊モードへ遷移するように指令する。
【００５３】
ステップＳ１０４，Ｓ１０５のいずれが実行されても、図示しないメインルーチンへと処理が復帰する。
【００５４】
このようなフローチャートを採用することにより、リモートコントローラ４ｋにおける通常モードと特殊モードとの間の遷移を、室内機３ｉ側から指令することができる。
【００５５】
特にステップＳ１０１，Ｓ１０２を実行することにより、集中制御部１に接続され、かつまだ制御アドレスが設定されていない場合においてのみ、制御アドレスの設定の要否をステップＳ１０３Ａで判断する。これにより、集中的な制御が行われない筈の室内機３ｉに制御アドレスが設定されたり、制御アドレスが重複して設定されるという誤動作を回避できる。
【００５６】
より具体的には、ステップＳ１０１を実行することにより、集中的な制御が行われない筈の室内機３ｉに制御アドレスが設定されるという誤動作を回避できる。またステップＳ１０２を実行することにより、制御アドレスが重複して設定されるという誤動作を回避できる。
【００５７】
なお、不揮発性記憶素子３０５が記憶する、制御アドレスの要否についての情報として、１ビットの情報を採用することができる。当該１ビットをここでは集中制御アドレス設定ビットと称する。集中制御アドレス設定ビットがアクティブ／ノンアクティブであることは、リモートコントローラ４ｋに対して特殊モード／通常モードに遷移させる指令、即ち制御アドレス設定の許諾／拒否を示すものに対応する。
【００５８】
図４は不揮発性記憶素子３０５に集中制御アドレス設定ビットが設定されている場合の図３のフローチャートを部分的に示すフローチャートである。図４では図３に示されたステップＳ１０３ＡをステップＳ１０３Ｂに置換している。ステップＳ１０３Ｂでは、集中制御アドレス設定ビットがアクティブであれば室内機に集中制御アドレスを設定するものとしてステップＳ１０４へと処理を進め、アクティブでなければ（ノンアクティブであれば）集中制御アドレスを設定しないものとしてステップＳ１０５へと処理を進める。これにより、図３に示されたフローチャートを採用した場合と同様に、集中的な制御が行われない筈の室内機３ｉに制御アドレスが設定されたり、制御アドレスが重複して設定されるという誤動作を回避できる。
【００５９】
図５は、室内機３ｉにおいて、集中制御アドレス設定ビットを用いて、集中制御アドレスの要否を記憶させるルーチンを示すフローチャートである。ステップＳ２０１において、集中制御アドレス設定ビットがアクティブであるか否かを判断する。アクティブであればステップＳ２０３に処理が進み、室内機３ｉがリモートコントローラ４ｋに対して特殊モードに遷移するように指示済みであるか否かを判断する。換言すれば、室内機３ｉが、リモートコントローラ４ｋに特殊モードを採らせる指令を、リモートコントローラ４ｋに送信しているか否かを判断する。つまりステップＳ１０５（図３）が実行されたか否かの判断がなされる。室内機３ｉが特殊モードへの遷移をリモートコントローラ４ｋに指示済みでなければ、当該ルーチンにおける処理はこれ以上行わずに図示しないメインルーチンへと処理が復帰する。
【００６０】
このように、ステップＳ２０１，Ｓ２０３における判断が実行されることにより、制御アドレスを必要とする場合であるにも拘わらず、リモートコントローラ４ｋへと特殊モードへ遷移させる旨の指令を送信していない場合には、制御アドレスの許諾を示す情報（具体的には集中制御アドレス設定ビットによって例示される）を維持することにより、特殊モードをリモートコントローラ４ｋに採らせる指令の実行を妨げない。
【００６１】
ステップＳ２０３において、否定的な判断が得られれば、即ち、集中制御アドレス設定ビットはアクティブであり、かつリモートコントローラ４ｋへと特殊モードに遷移するように求める指令を送信していた場合、ステップＳ２０４へと処理が進む。ステップＳ２０４では、リモートコントローラ４ｋから、集中制御アドレスの設定が不要と指示されたか否かが判断される。これは例えば、リモートコントローラ４ｋが、室内機３ｉからは集中制御アドレスを設定するために、特殊モードへと遷移するように指示を受けたものの、ユーザーによるリモートコントローラ４ｋの操作により、集中制御アドレスの設定が不要な動作が選定された場合を考慮した処理である。
【００６２】
このような、空気調和動作が集中制御部１の制御を受けるか否かを選定する機能をリモートコントローラ４ｋが有することは、本発明には必須ではない。しかしリモートコントローラ４ｋがそのような機能を有する場合においても、ステップＳ２０４を実行することにより、本発明を適用できる。かかる機能については後述する。
【００６３】
ステップＳ２０４の判断結果が肯定的であれば、リモートコントローラ４ｋからの指示を優先し、処理をステップＳ２０５に進めて、集中制御アドレス設定ビットをノンアクティブにする。つまり、集中制御アドレス設定ビットを、制御アドレスの設定を拒否することを示すものに更新する。これより後、改めて集中制御アドレス設定ビットがアクティブに設定されることがない限り、ステップＳ２０５を実行した室内機３ｉには室内制御アドレスが設定されないことになる。
【００６４】
このようにステップＳ２０４を実行することにより、室内機３ｉから特殊モードへ遷移する指令を受けた場合であっても、ユーザーからの指定により、制御アドレスは不要であると設定できる。しかも停電などの電源遮断から回復したとき、制御アドレスが不要であることを改めて設定する必要がない。
【００６５】
もちろん、リモートコントローラ４ｋに集中制御アドレスの設定が不要であると指示する機能が設けられていなかったり、かかる機能があってもそのような指示がなされなかった場合には、ステップＳ２０５を実行せず、図示されないメインルーチンへと処理が復帰する。
【００６６】
集中制御アドレス設定ビットがノンアクティブである場合、処理はステップＳ２０１からステップＳ２０２へと進み、リモートコントローラ４ｋから集中制御アドレスが設定されたか否かが判断される。これは例えば、室内機３ｉでは集中制御アドレスの設定が不要であると判断しており、特殊モードへと遷移するように指示をしてはいなかったものの、従来のようにユーザーがリモートコントローラ４ｋを操作することにより、特殊モードへと遷移する場合を考慮した処理である。
【００６７】
もちろん、リモートコントローラ４ｋが、それ自身への操作で特殊モードへと遷移する機能を有することは、本発明には必須ではない。しかしリモートコントローラ４ｋがそのような機能を有する場合においても、ステップＳ２０２を実行することにより、本発明を適用できる。但し、従来と同様に、リモートコントローラ４ｋが特殊モードへと遷移するためには繁雑な操作を必要としてユーザーの誤操作を防止することが望ましい。
【００６８】
ステップＳ２０２における判断が肯定的である場合には、ステップＳ２０６へと処理を進め、集中制御アドレス設定ビットをアクティブにする。つまり、集中制御アドレス設定ビットを、制御アドレスの設定を許諾することを示すものに更新する。これより後、改めて集中制御アドレス設定ビットがノンアクティブに設定されることがない限り、ステップＳ２０６を実行した室内機３ｉには室内制御アドレスが設定されることになる。
【００６９】
ステップＳ２０２における判断が否定的である場合には、集中制御アドレス設定ビットがノンアクティブであって、かつリモートコントローラ４ｋから集中制御アドレスも設定されてはいないので、集中制御アドレス設定ビットをノンアクティブに維持するため、当該フローチャートにおいてはこれ以上の処理は行わず、図示されないメインルーチンへと処理が復帰する。
【００７０】
このようにステップＳ２０２を実行することにより、室内機３ｉから特殊モードへ遷移する指令を受けない場合であっても、ユーザーからの指定によって制御アドレスを設定できる。しかも停電などの電源遮断から回復したとき、制御アドレスが必要であることを改めて設定する必要がない。
【００７１】
ステップＳ２０５，Ｓ２０６のいずれが実行されても、図示しないメインルーチンへと処理が復帰する。
【００７２】
図６は、リモートコントローラ４ｋによって、集中アドレス設定ビットを非活性化する（ノンアクティブにする）ルーチンを示すフローチャートである。但し当該フローチャートでは、集中制御アドレスを設定する処理も含まれている。なお、集中制御アドレスがリモートコントローラ４ｋによって設定されても、集中アドレス設定ビットを活性化する（アクティブにする）処理は図５のステップＳ２０６で示されたように、室内機３ｉが行う。
【００７３】
ステップＳ３０１において、室内機３ｉから、特殊モードへの遷移が指示されたか否かが判断される。これはステップＳ１０５（図３）が実行されたか否かと対応している。そして当該判断が肯定的であればステップＳ３０２へと処理を進め、特殊モードへと遷移する。特殊モードでは集中制御アドレスの設定を可能とするモードであって、ユーザーの操作により、ステップＳ３０２を実行したリモートコントローラ４ｋに対応する室内機３ｉに対する集中アドレスを設定することが可能であるが、これを設定せずに当該室内機に対する集中制御部１による制御を拒否してもよい。
【００７４】
そこでステップＳ３０２の実行後、ステップＳ３０３において、集中制御アドレスを設定するか否かが判断される。当該判断が肯定的である場合には、ステップＳ３０４において集中制御アドレスを設定する。集中アドレスの設定はユーザーによる入力に基づいて行われる。既にリモートコントローラ４ｋは特殊モードへと遷移しているので、当該設定は容易に実行できる。その後、ユーザーが誤って集中アドレスを再設定しないように、ステップＳ３０６へ処理を進めてリモートコントローラ４ｋが通常モードへと遷移する。
【００７５】
他方、ステップＳ３０３の判断が否定的である場合には、ステップＳ３０５へと進み、集中制御アドレスの設定が不要である旨を指示する。例えばリモートコントローラ４ｋは集中制御アドレスの設定が不要である旨を選択するための入力スイッチを備える。その後、ユーザーが誤って集中アドレスを設定しないように、ステップＳ３０６へ処理を進めてリモートコントローラ４ｋが通常モードへと遷移する。
【００７６】
このようにして、室内機３ｉから、制御アドレスを設定する特殊モードへ遷移する指令を受けた場合であっても、ユーザーが制御アドレスの設定は不要であることをリモートコントローラ４ｋによって室内機に通知できる。
【００７７】
このようなフローチャートを採用することにより、制御アドレスの設定（ステップＳ３０４）と、制御アドレスを不要とする設定（ステップＳ３０５）とを、ユーザーが選択することができる。しかもこれらの設定が実行された後で、制御アドレスの設定を行うための特殊モードを採用する必要がないのでステップＳ３０６によって通常モードに遷移する際、室内機からの指令を必要としない。
【００７８】
ステップＳ３０３の判断は例えばステップＳ３０３の判断基準をリモートコントローラ４ｋに表示し、ユーザーが当該表示に対応して集中アドレスを設定するか否かの情報をリモートコントローラ４ｋに入力してもよい。あるいはステップＳ３０３を実質的にステップＳ３０４，３０５へとマージして、ステップＳ３０４における処理自体がステップＳ３０３の判断結果が肯定的であることを示し、ステップＳ３０５における処理自体がステップＳ３０３の判断結果が否定的であることを示してもよい。
【図面の簡単な説明】
【００７９】
【図１】この発明を適用可能な空気調和システムの構成を例示するブロック図である。
【図２】室内機の構成を例示するブロック図である。
【図３】室内機がリモートコントローラのモードを遷移させるフローチャートである。
【図４】不揮発性記憶素子に集中制御アドレス設定ビットが設定されている場合の図３のフローチャートを部分的に示すフローチャートである。
【図５】室内機において、集中制御アドレス設定ビットを用いて、集中制御アドレスの要否を記憶させるルーチンを示すフローチャートである。
【図６】リモートコントローラによって、集中アドレス設定ビットを非活性化するルーチンを示すフローチャートである。
【符号の説明】
【００８０】
１  集中制御部
３１〜３６  室内機
４１〜４５  リモートコントローラ
３０３  ＣＰＵ
３０６  通信部
３０５  不揮発性記憶素子
【図１】
2008232594.tif 000003
【図２】
2008232594.tif 000004
【図３】
2008232594.tif 000005
【図４】
2008232594.tif 000006
【図５】
2008232594.tif 000007
【図６】
2008232594.tif 000008